【手続補正書】
【提出日】平成15年10月20日(2003.10.20)
【手続補正１】
【補正対象書類名】明細書
【補正対象項目名】特許請求の範囲
【補正方法】変更
【補正の内容】
【特許請求の範囲】
【請求項１】
それぞれ第１および第２の複数のストランドを有する第１および第２ワイヤロープを互いに接続するために、
複数の上記第１ストランドのうちの一部を残して上記第１ワイヤロープの端から所定長さだけ上記第１ストランドを切断する工程と、
複数の上記第２ストランドのうちの一部を残して上記第２ワイヤロープの端から所定長さだけ上記第２ストランドを切断する工程と、
上記残った第１ストランドと上記残った第２ストランドとを沿わせて重ねる工程と、
上記第１ストランドおよび上記第２ストランドの端で、上記重ねられた第１ストランドおよび第２ストランド上に金属スリーブを被せる工程と、
上記金属スリーブを円筒面を有するダイスにより圧着して、第１および第２ストランドとの間に形成される空間内に上記金属スリーブを圧入充填させて上記第１および第２ワイヤロープを互いに締結する工程とを備えたワイヤロープ接続方法。
【請求項２】
上記第１および第２ワイヤロープがそれぞれ第１および第２の芯綱を備え、
上記第２ストランドを切断する工程が、同時に上記第２芯綱を切断する工程を含み、
上記残った第１ストランドと上記残った第２ストランドとを互いに沿わせて重ねる工程が、これらストランドを上記第１芯綱上に重ねる工程を含み、
上記金属スリーブを圧着する工程が、上記重ねられた第１ストランドおよび第２ストランドと共に上記芯綱上に金属スリーブを圧着させる工程を含む請求項１記載のワイヤロープ接続方法。
【請求項３】
圧着された上記金属スリーブの外径が、上記ワイヤロープの外径に比較して２．０ｍｍを越えない大きさだけ大きい請求項１あるいは２記載のワイヤロープ接続方法。
【請求項４】
上記残されるストランドの本数が各ワイヤロープのストランドの本数の約半分である請求項１乃至３のいずれか記載のワイヤロープ接続方法。
【請求項５】
上記締結スリーブが、各ワイヤロープのストランドの切断端部にも圧着されている請求項１乃至４のいずれか記載のワイヤロープ接続方法。
【請求項６】
上記第１ストランド、上記第２ストランドおよび上記第２芯綱を切断する各工程が、それぞれの上記ストランドを切断する前に、少なくとも切断長さより大きな長さだけ、上記ワイヤロープから上記ストランドを一本ずつにほぐす工程を備えた請求項１乃至５のいずれか記載のワイヤロープ接続方法。
【請求項７】
上記一本ずつにほぐされて切断されたストランドを上記ワイヤロープに再び編み込む工程を備えた請求項６記載のワイヤロープ接続方法。
【請求項８】
それぞれ第１および第２の複数のストランドを有する第１および第２ワイヤロープを互いに接続するためのワイヤロープ接続部であって、
上記第１ワイヤロープの端から所定長さだけ延びた複数の第１接続用ストランドと、上記第２ワイヤロープの端から所定長さだけ延び、上記第１接続用ストランドに沿って重ねられたた複数の第２接続用ストランドと、
上記第１接続用ストランドおよび上記第２接続用ストランドの各端で、上記重ねられた第１接続用ストランドおよび第２接続用ストランド上に被せられて円筒形外周面を持ち、内周面が第１および第２ストランドとの間に形成される空間内に圧入充填された金属スリーブとを備えたワイヤロープ接続部。
【請求項９】
上記第１および第２ワイヤロープがそれぞれ第１および第２の芯綱を備え、上記第１接続用ストランドと上記第２接続用ストランドとが、上記第１芯綱上に重ねられて、上記金属スリーブが、上記重ねられた第１ストランドおよび第２ストランドと共に上記芯綱上に被せられてなる請求項８記載のワイヤロープ接続部。
【手続補正２】
【補正対象書類名】明細書
【補正対象項目名】０００８
【補正方法】変更
【補正の内容】
【０００８】
【課題を解決するための手段】
上述の課題を解決するために、この発明のワイヤロープ接続方法は、それぞれ第１および第２の複数のストランドを有する第１および第２ワイヤロープを互いに接続するために、複数の上記第１ストランドのうちの一部を残して上記第１ワイヤロープの端から所定長さだけ上記第１ストランドを切断する工程と、複数の上記第２ストランドのうちの一部を残して上記第２ワイヤロープの端から所定長さだけ上記第２ストランドを切断する工程と、上記残った第１ストランドと上記残った第２ストランドとを沿わせて重ねる工程と、上記第１ストランドおよび上
記第２ストランドの端で、上記重ねられた第１ストランドおよび第２ストランド上に金属スリーブを被せる工程と、上記金属スリーブを円筒面を有するダイスにより圧着して、第１および第２ストランドとの間に形成される空間内に上記金属スリーブを圧入充填させて上記第１および第２ワイヤロープを互いに締結する工程とを備えたワイヤロープ接続方法である。


【手続補正３】
【補正対象書類名】明細書
【補正対象項目名】００１５
【補正方法】変更
【補正の内容】
【００１５】
更に本発明のワイヤロープ接続部は、それぞれ第１および第２の複数のストランドを有する第１および第２ワイヤロープを互いに接続するためのワイヤロープ接続部であって、上記第１ワイヤロープの端から所定長さだけ延びた複数の第１接続用ストランドと、上記第２ワイヤロープの端から所定長さだけ延び、上記第１接続用ストランドに沿って重ねられたた複数の第２接続用ストランドと、上記第１接続用ストランドおよび上記第２接続用ストランドの各端で、上記重ねられた第１接続用ストランドおよび第２接続用ストランド上に被せられて円筒形外周面を持ち、内周面が第１および第２ストランドとの間に形成される空間内に圧入充填された金属スリーブとを備えている。


【手続補正４】
【補正対象書類名】明細書
【補正対象項目名】００２５
【補正方法】変更
【補正の内容】
【００２５】
【発明の効果】
以上のように本発明のワイヤロープ接続方法によれば、複数の第１ストランドのうちの一部を残して第１ワイヤロープの端から所定長さだけ第１ストランドを切断する工程と、複数の第２ストランドのうちの一部を残して第２ワイヤロープの端から所定長さだけ第２ストランドを切断する工程と、残った第１ストランドと残った第２ストランドとを沿わせて重ねる工程と、第１ストランドおよび第２ストランドの端で、重ねられた第１ストランドおよび第２ストランド上に金属スリーブを被せる工程と、上記金属スリーブを円筒面を有するダイスにより圧着して、第１および第２ストランドとの間に形成される空間内に上記金属スリーブを圧入充填させて、第１および第２ワイヤロープを互いに締結する工程とを備えているので、ロープ接続部を容易に形成でき、得られたロープ接続部は外径が小さく、充分な引っ張り強度を持ち、ロープ端部の変形も生じることがない。


【手続補正５】
【補正対象書類名】明細書
【補正対象項目名】００３２
【補正方法】変更
【補正の内容】
【００３２】
更に、本発明のワイヤロープ接続部は、それぞれ第１および第２の複数のストランドを有する第１および第２ワイヤロープを互いに接続するためのワイヤロープ接続部であって、上記第１ワイヤロープの端から所定長さだけ延びた複数の第１接続用ストランドと、上記第２ワイヤロープの端から所定長さだけ延び、上記第１接続用ストランドに沿って重ねられたた複数の第２接続用ストランドと、上記第１接続用ストランドおよび上記第２接続用ストランドの各端で、上記重ねられた第１接続用ストランドおよび第２接続用ストランド上に被せられて円筒形外周面を持ち、内周面が第１および第２ストランドとの間に形成される空間内に圧入充填された金属スリーブとを備えているので、容易に高い信頼性をもって製造できて、引っ張り強度を充分な大きさにでき、接続部の直径を小さく押さえることができる。